(57)【要約】      （修正有）【課題】コアの端面が大きな光伝送体を用いた場合でも、高い光結合効率を維持できる光レセプタクルを提供すること。【解決手段】本発明の光レセプタクル１２０は、光レセプタクル本体１２１と、フィルター１２２とを有する。光レセプタクル本体１２１は、第１光学面１２３と、第２光学面１２４と、第３光学面１２５と、反射面１２６とを含む。フィルター１２２は、第１波長の光を反射させ、かつ第２波長の光を透過させる第１フィルター面１２８と、第２波長の光を反射させ、かつ第１波長の光を透過させる第２フィルター面１２９とを含む。フィルター１２２は、第１フィルター面１２８または第２フィルター面１２９が反射面１２６に密着するように光レセプタクル本体１２１上に配置される。【選択図】図３
2020160250.tif 000002
【特許請求の範囲】
【請求項１】
第１波長の光を出射する光伝送体と、前記第１波長と異なる波長の第２波長の光を出射する発光素子および前記第１波長の光を受光する受光素子を含む光電変換装置との間に配置されたときに、前記光伝送体と、前記発光素子および前記受光素子とを光学的に結合するための光レセプタクルであって、
前記光レセプタクルは、
光レセプタクル本体と、
前記光レセプタクル本体上に配置されるフィルターと、
を有し、
前記光レセプタクル本体は、
前記光伝送体から出射された前記第１波長の光を入射させるか、前記光レセプタクル本体の内部を進行してきた前記第２波長の光を前記光伝送体に向けて出射させるための第１光学面と、
前記光レセプタクル本体の内部を進行してきた前記第１波長の光を前記受光素子に向けて出射させるか、または前記発光素子から出射された前記第２波長の光を入射させるための第２光学面と、
前記第２光学面よりも前記第１光学面から離れた位置に配置され、前記光レセプタクル本体の内部を進行してきた前記第１波長の光を前記受光素子に向けて出射させるか、または前記発光素子から出射された前記第２波長の光を入射させるための第３光学面と、
前記第１光学面および前記第２光学面の間の光路上に配置され、前記第２光学面で入射した前記第２波長の光を前記第１光学面に向けて内部反射させるか、または前記第１光学面で入射した前記第１波長の光を前記第２光学面に向けて内部反射させる反射面と、
を含み、
前記フィルターは、
一方の面に配置された、前記第１波長の光を反射させ、かつ前記第２波長の光を透過させるための第１フィルター面と、
他方の面に配置された、前記第２波長の光を反射させ、かつ前記第１波長の光を透過させるための第２フィルター面と、
を含み、
前記第２光学面が前記第１波長の光を前記受光素子に向けて出射させるか、または前記第３光学面が前記第２波長の光を入射させる場合は、
前記フィルターは、前記第１フィルター面が前記反射面に密着するように前記光レセプタクル本体上に配置され、
前記第２フィルター面は、前記第３光学面で入射した前記第２波長の光を前記第１光学面に向けて反射させ、
前記反射面および前記第１フィルター面は、前記第１光学面で入射した前記第１波長の光を前記第２光学面に向けて反射させるか、または前記第２フィルター面で反射した前記第２波長の光を前記第１光学面に向けて透過させ、
前記第２光学面が前記第２波長の光を入射させるか、または前記第３光学面が前記第１波長の光を前記受光素子に向けて出射させる場合は、
前記フィルターは、前記第２フィルター面が前記反射面に密着するように前記光レセプタクル本体上に配置され、
前記反射面および前記第２フィルター面は、前記第２光学面で入射した前記第２波長の光を前記第１光学面に向けて反射させるか、または前記第１光学面で入射した前記第１波長の光を前記第１フィルター面に向けて透過させ、
前記第１フィルター面は、前記第２フィルター面を透過した前記第１波長の光を前記第３光学面に向けて反射させる、
光レセプタクル。
【請求項２】
前記第１フィルター面および前記第２フィルター面は、平行である、請求項１に記載の光レセプタクル。
【請求項３】
基板と、前記基板上に配置された発光素子と、前記基板上に配置された受光素子とを含む光電変換装置と、
請求項１または請求項２に記載の光レセプタクルと、
を有する、光モジュール。
【請求項４】
前記光モジュールと組み合わせて使用される光伝送体のコアの端面の大きさが、前記発光素子の発光面の大きさ以上である場合は、
前記発光素子は、前記第３光学面と対向するように前記基板上に配置され、
前記受光素子は、前記第２光学面と対向するように前記基板上に配置され、
前記フィルターは、前記第１フィルター面が前記反射面に密着するように前記光レセプタクル本体上に配置され、
前記光伝送体のコアの端面の大きさが、前記発光素子の発光面の大きさ未満である場合は、
前記発光素子は、前記第２光学面と対向するように前記基板上に配置され、
前記受光素子は、前記第３光学面と対向するように前記基板上に配置され、
前記フィルターは、前記第２フィルター面が前記反射面に密着するように前記光レセプタクル本体上に配置される、
請求項３に記載の光モジュール。
【請求項５】
請求項４に記載の光モジュールの製造方法であって、
前記光伝送体のコアの端面の大きさが前記発光素子の発光面の大きさ以上である場合は、前記第１フィルター面が前記反射面に密着するように、前記光伝送体のコアの端面の大きさが前記発光素子の発光面の大きさ未満である場合は、前記第２フィルター面が前記反射面に密着するように、前記フィルターを前記光レセプタクル本体上に配置する工程と、
前記光レセプタクル本体を前記光電変換装置の前記基板上に配置する工程と、
を有する、光モジュールの製造方法。
【発明の詳細な説明】
【技術分野】
【０００１】
本発明は、光レセプタクル、光モジュールおよび光モジュールの製造方法に関する。
【背景技術】
【０００２】
従来、光ファイバーや光導波路などの光伝送体を用いた光通信には、発光ダイオードなどの発光素子およびフォトディテクターなどの受光素子を備えた光モジュール（光伝送モジュール）が使用されている。光モジュールは、発光素子から出射された通信情報を含む光を、光伝送体の端面に入射させ、光伝送体から出射された通信情報を含む光を受光素子の受光面に入射させる光レセプタクル（光学部材）を有する（例えば、特許文献１参照）。
【０００３】
特許文献１には、送信用光学素子および受信用光学素子を含む光素子アッセンブリと、光ファイバーと、光学部材とを有する光伝送モジュールが記載されている。光学部材は、送信用光学素子からの光信号を光ファイバーに入射させるか、光ファイバーからの光信号を受信用光素子に入射させる。光学部材は、送信用光学素子と対向して配置された送信用レンズと、光ファイバーと対向して配置されたファイバー用レンズと、受信用光学素子と対向して配置された受信用レンズと、送信用レンズで入射した信号光をファイバー用レンズに向けて反射させるか、ファイバー用レンズで入射した受信光を透過させる光フィルターと、光フィルターを透過した受信光を受信用レンズに向けて反射させる反射面とを有する。光フィルターは、フィルター搭載部のフィルター搭載面に面して配置され、透明な接着剤によりフィルター搭載部を埋めるように固定されている。
【先行技術文献】
【特許文献】
【０００４】
【特許文献１】特開２００９−２５１３７５号公報
【発明の概要】
【発明が解決しようとする課題】
【０００５】
しかしながら、特許文献１に記載された光素子アッセンブリでは、光フィルターを設置するためのフィルター搭載部と、フィルター搭載部から離れた位置に配置された反射面とを光学部材に設けることが必要なため、光ファイバーおよび受信用光学素子の間の光路が長くなり、光伝送モジュールが大型化してしまう問題があった。また、例えば、コアの端面の直径が大きい光ファイバーを用いた場合、ファイバー用レンズで完全にコリメート光に変換できないことがあった。このように受信光をコリメート光に変換できない場合、光ファイバーおよび受信用光学素子の間の光路が長いと、光ファイバーの端面と受信用光学素子の受光面との間の光結合効率が顕著に低下してしまう。
【０００６】
本発明の目的は、コアの端面が大きな光伝送体を用いた場合でも、高い光結合効率を維持できる光レセプタクルおよび光モジュールを提供することである。
【課題を解決するための手段】
【０００７】
本発明に係る光レセプタクルは、光レセプタクル本体と、前記光レセプタクル本体上に配置されるフィルターと、を有し、前記光レセプタクル本体は、前記光伝送体から出射された前記第１波長の光を入射させるか、前記光レセプタクル本体の内部を進行してきた前記第２波長の光を前記光伝送体に向けて出射させるための第１光学面と、前記光レセプタクル本体の内部を進行してきた前記第１波長の光を前記受光素子に向けて出射させるか、または前記発光素子から出射された前記第２波長の光を入射させるための第２光学面と、前記第２光学面よりも前記第１光学面から離れた位置に配置され、前記光レセプタクル本体の内部を進行してきた前記第１波長の光を前記受光素子に向けて出射させるか、または前記発光素子から出射された前記第２波長の光を入射させるための第３光学面と、前記第１光学面および前記第２光学面の間の光路上に配置され、前記第２光学面で入射した前記第２波長の光を前記第１光学面に向けて内部反射させるか、または前記第１光学面で入射した前記第１波長の光を前記第２光学面に向けて内部反射させる反射面と、を含み、前記フィルターは、一方の面に配置された、前記第１波長の光を反射させ、かつ前記第２波長の光を透過させるための第１フィルター面と、他方の面に配置された、前記第２波長の光を反射させ、かつ前記第１波長の光を透過させるための第２フィルター面と、を含み、前記第２光学面が前記第１波長の光を前記受光素子に向けて出射させるか、または前記第３光学面が前記第２波長の光を入射させる場合は、前記フィルターは、前記第１フィルター面が前記反射面に密着するように前記光レセプタクル本体上に配置され、前記第２フィルター面は、前記第３光学面で入射した前記第２波長の光を前記第１光学面に向けて反射させ、前記反射面および前記第１フィルター面は、前記第１光学面で入射した前記第１波長の光を前記第２光学面に向けて反射させるか、または前記第２フィルター面で反射した前記第２波長の光を前記第１光学面に向けて透過させ、前記第２光学面が前記第２波長の光を入射させるか、または前記第３光学面が前記第１波長の光を前記受光素子に向けて出射させる場合は、前記フィルターは、前記第２フィルター面が前記反射面に密着するように前記光レセプタクル本体上に配置され、前記反射面および前記第２フィルター面は、前記第２光学面で入射した前記第２波長の光を前記第１光学面に向けて反射させるか、または前記第１光学面で入射した前記第１波長の光を前記第１フィルター面に向けて透過させ、前記第１フィルター面は、前記第２フィルター面を透過した前記第１波長の光を前記第３光学面に向けて反射させる。
【０００８】
本発明に係る光モジュールは、基板と、前記基板上に配置された発光素子と、前記基板上に配置された受光素子とを含む光電変換装置と、本発明に係る光レセプタクルと、を有する。
【０００９】
本発明に係る光モジュールの製造方法は、本発明に係る光モジュールと組み合わせて使用される光伝送体のコアの端面の大きさが前記発光素子の発光面の大きさ以上である場合は、前記第１フィルター面が前記反射面に密着するように、前記光伝送体のコアの端面の大きさが前記発光素子の発光面の大きさ未満である場合は、前記第２フィルター面が前記反射面に密着するように、前記フィルターを前記光レセプタクル本体上に配置する工程と、前記光レセプタクル本体を前記光電変換装置の前記基板上に配置する工程と、を有する。
【発明の効果】
【００１０】
本発明によれば、コアの端面が大きな光伝送体を用いた場合でも、高い光結合効率を維持できる光レセプタクルおよび光モジュールを提供できる。
【図面の簡単な説明】
【００１１】
【図１】図１は、本発明の実施の形態１に係る光モジュールの断面図である。
【図２】図２Ａ〜Ｄは、実施の形態１に係る光レセプタクルの構成を示す図である。
【図３】図３は、光伝送体に対する発光素子の配置と、光伝送体に対する受光素子の配置とを説明するための図である。
【図４】図４Ａ〜Ｃは、実施の形態１の各変形例に係る光モジュールの断面図である。
【図５】図５Ａ、Ｂは、実施の形態１の各変形例に係る光モジュールの断面図である。
【図６】図６は、本発明の実施の形態２に係る光モジュールの断面図である。
【発明を実施するための形態】
【００１２】
以下、本発明の実施の形態に係る光モジュールについて、添付した図面を参照して詳細に説明する。
【００１３】
［実施の形態１］
（光モジュールの構成）
図１は、本発明の実施の形態１に係る光モジュール１００の断面図である。図１では、光伝送体１４０およびフェルール１４２を破線で示している。図１では、光学面の中心軸および光の光軸を示すため、光レセプタクル本体１２１と、フィルター１２２のハッチングを省略している。
【００１４】
図１に示されるように、光モジュール１００は、基板実装型の光電変換装置１１０と、光レセプタクル１２０とを有する。光モジュール１００は、光レセプタクル１２０に光伝送体１４０が結合（以下、接続ともいう）されて使用される。本実施の形態に係る光モジュール１００は、単芯双方向通信に利用できる。この場合、光モジュール１００は、光伝送体１４０のコアの端面１４０ａから出射された第１波長の光（受信光）を検出し、光伝送体１４０のコアの端面１４０ａに第１波長と異なる第２波長の光（送信光）を出射する。
【００１５】
光電変換装置１１０は、基板１１１と、発光素子１１２と、受光素子１１３とを有する。
【００１６】
基板１１１は、発光素子１１２および受光素子１１３を支持するとともに、光レセプタクル１２０も支持する。基板１１１は、例えば、ガラスコンポジット基板やガラスエポキシ基板、フレキブシル基板などである。基板１１１上には、発光素子１１２および受光素子１１３が配置されている。
【００１７】
発光素子１１２は、基板１１１上に配置されており、第２波長の光を出射する。第２波長は、第１波長と異なり、かつ単芯双方向通信を適切に行うことができれば特に限定されないが、例えば８００〜１０００ｎｍ、または１２００〜１６００ｎｍである。発光素子は、例えば、発光ダイオードや、垂直共振器面発光レーザー（Vertical Cavity Surface Emitting Laser：ＶＣＳＥＬ）である。発光素子１１２の数は、特に限定されない。本実施の形態では、発光素子１１２の数は、１２個である（図２参照）。また、本実施の形態では、光伝送体１４０のコアの端面１４０ａの大きさは、発光素子１１２の発光面１１２ａの大きさよりも大きい。
【００１８】
受光素子１１３は、光伝送体１４０のコアの端面１４０ａから出射された第１波長の光を受光する。受光素子１１３は、例えば、フォトディテクターである。受光素子１１３の数は、特に限定されず、光レセプタクル１２０の構成に合わせて選択される。本実施の形態では、受光素子１１３の数は、１２個である（図２参照）。また、本実施の形態では、光伝送体１４０のコアの端面１４０ａの大きさが発光素子１１２の発光面１１２ａの大きさよりも大きいことに対応して（後述）、受光素子１１３は、発光素子１１２よりも光伝送体１４０側に配置されている。
【００１９】
光レセプタクル１２０は、光電変換装置１１０の基板１１１上に配置されている。光レセプタクル１２０は、光電変換装置１１０と光伝送体１４０との間に配置されたときに、光伝送体１４０のコアの端面１４０ａと、発光素子１１２の発光面１１２ａおよび受光素子１１３の受光面１１３ａとを光学的に結合させる。本実施の形態では、光レセプタクル１２０は、１２本の光伝送体１４０のコアの端面１４０ａと、１２個の発光素子１１２の発光面１１２ａおよび１２個の受光素子１１３の受光面１１３ａとをそれぞれ光学的に結合させる。光レセプタクル１２０の構成については、別途詳細に説明する。
【００２０】
光伝送体１４０の種類は、特に限定されない。光伝送体１４０の種類の例には、光ファイバー、光導波路が含まれる。本実施の形態では、光伝送体１４０は、光ファイバーである。光ファイバーは、シングルモード方式でもよいし、マルチモード方式でもよい。光伝送体１４０のコアの端面１４０ａから出射される光（受信光）の第１波長は、第２波長と異なり、かつ単芯双方向通信を適切に行うことができれば特に限定されないが、例えば８００〜１０００ｎｍ、または１２００〜１６００ｎｍである。光伝送体１４０の数は、特に限定されず、光レセプタクル１２０の構成に合わせて選択される。本実施の形態では、光伝送体１４０の数は、１２本である（図２参照）。また、本実施の形態では、光伝送体１４０は、フェルール１４２を介して光レセプタクル１２０に接続される。
【００２１】
（光レセプタクルの構成）
図２Ａ〜Ｄは、光レセプタクル１２０の構成を示す図である。図２Ａは、光レセプタクル１２０の平面図であり、図２Ｂは、正面図であり、図２Ｃは、底面図であり、図２Ｄは、図２Ａに示されるＡ−Ａ線の断面図である。
【００２２】
光レセプタクル１２０は、透光性を有し、光伝送体１４０のコアの端面１４０ａから出射された第１波長の光（受信光）を受光素子１１３の受光面１１３ａに向けて出射させるとともに、発光素子１１２の発光面１１２ａから出射された第２波長の光（送信光）を光伝送体１４０のコアの端面１４０ａに向けて出射させる。図２Ａ〜Ｄに示されるように、光レセプタクル１２０は、光レセプタクル本体１２１と、フィルター１２２とを有する。
【００２３】
光レセプタクル本体１２１は、第１光学面１２３と、第２光学面１２４と、第３光学面１２５と、反射面１２６とを有する。本実施の形態では、第１光学面１２３と、第２光学面１２４と、第３光学面１２５との数は、それぞれ１２個ずつである。本実施の形態では、光レセプタクル本体１２１は、光伝送体１４０を位置決めするための位置決め部１２７をさらに有する。
【００２４】
光レセプタクル本体１２１は、光通信に用いられる波長の光に対して透光性を有する材料を用いて形成される。そのような材料の例には、ポリエーテルイミド（ＰＥＩ）や環状オレフィン樹脂などの透明な樹脂が含まれる。また、光レセプタクル本体１２１は、例えば、射出成形により製造される。
【００２５】
第１光学面１２３は、光伝送体１４０のコアの端面１４０ａから出射された第１波長の光を光レセプタクル本体１２１の内部に入射させるとともに、光レセプタクル本体１２１の内部を進行してきた光を光伝送体１４０のコアの端面１４０ａに向けて出射させる光学面である。第１光学面１２３の形状は、特に限定されない。第１光学面１２３は、光伝送体１４０に向かって凸状の凸レンズ面でもよいし、光伝送体１４０に対して凹状の凹レンズ面でもよいし、平面でもよい。本実施の形態では、第１光学面１２３は、光伝送体１４０に向かって凸状の凸レンズ面である。第１光学面１２３の平面視形状は、特に限定されない。第１光学面１２３の平面視形状は、円形状でもよいし、多角形状でもよい。本実施の形態では、第１光学面１２３の平面視形状は、円形状である。
【００２６】
第１光学面１２３の第１中心軸ＣＡ１は、光伝送体１４０のコアの端面１４０ａから出射される第１波長の光の光軸ＬＡ１と一致していてもよいし、一致していなくてもよい。すなわち、第１光学面１２３の第１中心軸ＣＡ１は、光伝送体１４０のコアの端面１４０ａの中心軸（光軸ＬＡ１）と一致していてもよいし、一致していなくてもよい。本実施の形態では、第１光学面１２３の第１中心軸ＣＡ１は、光伝送体１４０のコアの端面１４０ａの中心軸（光軸ＬＡ１）と一致している（図１参照）。
【００２７】
第２光学面１２４は、第３光学面１２５よりも第１光学面１２３側に配置され、発光素子１１２または受光素子１１３と対向するように配置されている光学面である。本実施の形態では、第２光学面１２４は、受光素子１１３と対向しており、光レセプタクル本体１２１の内部を進行してきた第１波長の光を受光素子１１３に向けて出射させる。第２光学面１２４の形状は、特に限定されない。第２光学面１２４は、受光素子１１３に向かって凸状の凸レンズ面でもよいし、受光素子１１３に対して凹状の凹レンズ面でもよいし、平面でもよい。本実施の形態では、第２光学面１２４は、受光素子１１３に向かって凸状の凸レンズ面である。第２光学面１２４の平面視形状は、特に限定されない。第２光学面１２４の平面視形状は、円形状でもよいし、多角形状でもよい。本実施の形態では、第２光学面１２４の平面視形状は、円形状である。
【００２８】
第２光学面１２４の第２中心軸ＣＡ２は、受光素子１１３の受光面１１３ａの光軸ＬＡ３と一致していてもよいし、一致していなくてもよい。本実施の形態では、第２光学面１２４の第２中心軸ＣＡ２は、受光素子１１３の受光面１１３ａの中心軸（光軸ＬＡ３）と一致している（図１参照）。
【００２９】
反射面１２６は、光レセプタクル本体１２１の天面側に形成された傾斜面であり、第１光学面１２３および第２光学面１２４の間の光路上に配置されている。反射面１２６は、第１光学面１２３で入射した光を第２光学面１２４に向けて内部反射させることができ、かつ第２光学面１２４で入射した光を第１光学面１２３に向けて内部反射させることができるように構成されている。本実施の形態では、反射面１２６は、光レセプタクル１２０の底面から天面に向かうにつれて、第１光学面１２３に近づくように傾斜した平面である。本実施の形態では、反射面１２６の傾斜角度は、第１光学面１２３で入射した光の光軸ＬＡ１に対して４５°である。
【００３０】
なお、この後説明するように、反射面１２６には、フィルター１２２の第１フィルター面１２８または第２フィルター面１２９が密着する。第１フィルター面１２８が反射面１２６に密着している場合、反射面１２６および第１フィルター面１２８は、第１波長の光を反射させ、第２波長の光を透過させる。一方、第２フィルター面１２９が反射面１２６に密着している場合、反射面１２６および第２フィルター面１２９は、第２波長の光を反射させ、第１波長の光を透過させる。本実施の形態では、第１フィルター面１２８が反射面に密着しており、反射面１２６および第１フィルター面１２８は、第１光学面１２３で入射した第１波長の光を第２光学面１２４に向けて反射させるとともに、第３光学面１２５で入射し、第２フィルター面１２９で反射した第２波長の光を第１光学面１２３に向けて透過させる（図３参照）。
【００３１】
第３光学面１２５は、第２光学面１２４よりも第１光学面１２３から離れるように配置され、発光素子１１２または受光素子１１３と対向するように配置されている光学面である。本実施の形態では、第３光学面１２５は、発光素子１１２と対向しており、発光素子１１２から出射された第２波長の光を入射させる。第３光学面１２５の形状は、特に限定されない。第３光学面１２５は、発光素子１１２に向かって凸状の凸レンズ面でもよいし、発光素子１１２に対して凹状の凹レンズ面でもよいし、平面でもよい。本実施の形態では、第３光学面１２５は、発光素子１１２に向かって凸状の凸レンズ面である。第３光学面１２５の平面視形状は、特に限定されない。第３光学面１２５の平面視形状は、円形状でもよいし、多角形状でもよい。本実施の形態では、第３光学面１２５の平面視形状は、円形状である。
【００３２】
第３光学面１２５の第３中心軸ＣＡ３は、発光素子１１２の発光面から出射される第２波長の光の光軸ＬＡ２と一致していてもよいし、一致していなくてもよい。本実施の形態では、第３光学面１２５の第３中心軸ＣＡ３は、発光素子１１２の発光面１１２ａの中心軸（光軸ＬＡ２）と一致している（図１参照）。
【００３３】
位置決め部１２７は、光レセプタクル本体１２１に対して、光伝送体１４０のコアの端面１４０ａを位置決めする。位置決め部１２７の構成は、上記の機能を発揮できれば特に限定されない。本実施の形態では、位置決め部１２７は、略円柱形状の突起である。位置決め部１２７にフェルール１４２に形成された位置決め穴１４３を嵌め込むことで、光伝送体１４０のコアの端面１４０ａが光レセプタクル本体１２１に対して位置決めされる。
【００３４】
フィルター１２２は、第１光学面１２３および第２光学面１２４の間の光路上、かつ第１光学面１２３および第３光学面１２５の間の光路上に位置するように、反射面１２６の上に配置されている。
【００３５】
フィルター１２２は、一方の面に配置された第１フィルター面１２８と、他方の面に配置された第２フィルター面１２９とを有する。第１フィルター面１２８は、第１波長の光を反射させ、かつ第２波長の光を透過させる。一方、第２フィルター面１２９は、第２波長の光を反射させ、かつ第１波長の光を透過させる。第１フィルター面１２８および第２フィルター面１２９の形状は、いずれも反射面１２６と相補的な形状である。本実施の形態では、第１フィルター面１２８および第２フィルター面１２９は、平面である。第１フィルター面１２８および第２フィルター面１２９は、平行に配置されてもよいし、平行でなく配置されていてもよい。本実施の形態では、フィルター１２２の断面形状は、平行四辺形であり、第１フィルター面１２８および第２フィルター面１２９は、平行に配置されている。
【００３６】
フィルター１２２は、第１フィルター面１２８または第２フィルター面１２９が反射面１２６に密着するように光レセプタクル本体１２１の上に配置される。第１フィルター面１２８が反射面１２６に密着している場合、反射面１２６および第１フィルター面１２８は、第１波長の光を反射させ、第２波長の光を透過させる。一方、第２フィルター面１２９が反射面１２６に密着している場合、反射面１２６および第２フィルター面１２９は、第２波長の光を反射させ、第１波長の光を透過させる。
【００３７】
本実施の形態では、第１フィルター面１２８が反射面１２６に密着しており、反射面１２６および第１フィルター面１２８は、第１光学面１２３の中心軸ＣＡ１および第２光学面１２４の中心軸ＣＡ２の交点上に位置するように配置されている。また、第２フィルター面１２９は、第１光学面１２３の中心軸ＣＡ１および第３光学面１２５の中心軸ＣＡ３の交点上に位置するように配置されている。反射面１２６および第１フィルター面１２８は、第１光学面１２３で入射した第１波長の光を第２光学面１２４に向けて反射させるとともに、第３光学面１２５で入射し、第２フィルター面１２９で反射した第２波長の光を第１光学面１２３に向けて透過させる（図３参照）。第２フィルター面１２９は、第３光学面１２５で入射した第２波長の光を第１光学面１２３に向けて反射させる。
【００３８】
フィルター１２２の構成は、上記機能を発揮できれば特に限定されない。たとえば、フィルター１２２は、樹脂またはガラス製の基板の一方の面に第１波長の光を反射させ、かつ第２波長の光を透過させるコーティング（例えば半導体多層膜）を形成し、他方の面に第２波長の光を反射させ、かつ第１波長の光を透過させるコーティング（例えば半導体多層膜）を形成することで得られる。基板の屈折率は、特に限定されないが、光レセプタクル本体１２１を構成する材料（例えば樹脂）の屈折率に近い屈折率が好ましく、同じ屈折率が特に好ましい。
【００３９】
本実施の形態では、発光素子１１２の発光面１１２ａから出射された第２波長の光は、第３光学面１２５で光レセプタクル本体１２１の内部に入射する。第３光学面１２５で入射した光は、光レセプタクル本体１２１とフィルター１２２との界面を透過して、フィルター１２２の第２フィルター面１２９で第１光学面１２３に向けて反射される。第２フィルター面１２９で反射された光は、第１フィルター面１２８および反射面１２６を透過し、第１光学面１２３から光伝送体１４０のコアの端面１４０ａに向けて出射される。このように、発光素子１１２から出射された第２波長の光は、第３光学面１２５と、第２フィルター面１２９と、第１光学面１２３とを経て、光伝送体１４０に到達する（図３参照）。
【００４０】
一方、光伝送体１４０のコアの端面１４０ａから出射された第１波長の光は、第１光学面１２３で光レセプタクル本体１２１の内部に入射し、反射面１２６（および第１フィルター面１２８）で第２光学面１２４に向けて反射される。反射面１２６で反射された光は、第２光学面１２４から受光素子１１３の受光面１１３ａに向けて出射される。このように、光伝送体１４０から出射された第１波長の光は、第１光学面１２３と、反射面１２６（第１フィルター面１２８）と、第２光学面１２４とを経て、受光素子１１３に到達する（図３参照）。
【００４１】
ここで、光伝送体１４０に対する発光素子１１２の配置と、光伝送体１４０に対する受光素子１１３の配置とについて説明する。図３は、光伝送体１４０に対する発光素子１１２の配置と、光伝送体１４０に対する受光素子１１３の配置とを説明するための図である。図３では、光路を示すため、光レセプタクル本体１２１と、フィルター１２２のハッチングを省略している。
【００４２】
図３に示されるように、発光素子１１２の発光面１１２ａおよび光伝送体１４０のコアの端面１４０ａの間の光路を第１光路ＯＰ１とし、光伝送体１４０のコアの端面１４０ａおよび受光素子１１３の受光面１１３ａの間の光路を第２光路ＯＰ２とする。
【００４３】
出射面（例えば光伝送体１４０のコアの端面１４０ａまたは発光素子１１２の発光面１１２ａ）から出射された光を、光レセプタクルにより受光面（例えば受光素子１１３の受光面１１３ａまたは光伝送体１４０のコアの端面１４０ａ）に導く場合、出射面と受光面との間の光結合効率は、出射面が大きいほど低くなりやすい。また、当該光結合効率は、光路が長いほど低くなりやすい。そこで、本実施の形態では、発光素子１１２の発光面１１２ａの大きさと、光伝送体１４０のコアの端面１４０ａの大きさを比較して、より大きい出射面から出射される光の光路がより短い光路となるように、発光素子１１２および受光素子１１３の位置ならびにフィルター１２２の配置を設定している。本実施の形態では、前述したように、光伝送体１４０のコアの端面１４０ａの大きさは、発光素子１１２の発光面１１２ａの大きさ以上である。よって、受光素子１１３は、第２光路ＯＰ２が第１光路ＯＰ１と比較して短くなるように、第２光学面１２４と対向して配置されている。この場合、光伝送体１４０から出射された光は、第２光路ＯＰ２を通って、受光素子１１３に到達する。ここで、第２光路ＯＰ２は、第１光路ＯＰ１より短いため、光伝送体１４０のコアの端面１４０ａが大きい場合でも、受光素子１１３に対する光結合効率を維持できる。なお、光伝送体１４０のコアの端面１４０ａの大きさが、発光素子１１２の発光面１１２ａの大きさ未満である場合は、発光素子１１２が第２光学面１２４と対向して配置されることが好ましい（実施の形態２参照）。
【００４４】
（光モジュールの製造方法）
次に、上述した光モジュール１００の製造方法について説明する。光モジュール１００の製造方法は、フィルター１２２を光レセプタクル本体１２１上に配置する工程と、光レセプタクル本体１２１を光電変換装置１１０の基板上１１１に配置する工程とを含む。これらの工程の順番は、特に限定されない。
【００４５】
フィルター１２２を光レセプタクル本体１２１上に配置する工程では、光伝送体１４０のコアの端面１４０ａの大きさと、発光素子１１２の発光面１１２ａの大きさとを比較して、フィルター１２２の第１フィルター面１２８および第２フィルター面１２９のどちらの面を、光レセプタクル本体１２１の反射面１２６に密着させるかを決定する。具体的には、光伝送体１４０のコアの端面１４０ａの大きさが発光素子１１２の発光面１１２ａの大きさ以上である場合は、第１フィルター面１２８を反射面１２６に密着させる。一方、光伝送体１４０のコアの端面１４０ａの大きさが発光素子１１２の発光面１１２ａの大きさ未満である場合は、第２フィルター面１２９を反射面１２６に密着させる。
【００４６】
また、発光素子１１２および受光素子１１３が配置された光電変換装置１１０の基板上１１１に光レセプタクル本体１２１を配置する。
【００４７】
（効果）
以上のように、本実施の形態に係る光モジュール１００では、光伝送体１４０のコアの端面１４０ａの大きさと、発光素子１１２の発光面１１２ａの大きさとを比較して、より大きい方から出射される光の光路が短くなるように、送信光の光路および受信光の光路を変更できる。これによって、コアの端面１４０ａが大きな光伝送体１４０を用いた場合でも、高い光結合効率を維持できる。
【００４８】
また、本実施の形態に係る光モジュール１００では、フィルター１２２の第１フィルター面１２８および第２フィルター面１２９の配置を逆にすることで、光伝送体１４０の両端に配置される２つの光モジュール１００の両方において、受信光の光路を短くできる。さらに、本実施の形態に係る光レセプタクル１２０は、フィルター１２２がなくても反射面１２６が機能できるので、フィルター１２２を使用せずに光レセプタクル本体１２１のみでも単方向通信の光レセプタクルとして機能できる。
【００４９】
（変形例）
次に、実施の形態１の変形例に係る光モジュール２００、３００、４００について説明する。図４Ａ〜Ｃおよび図５Ａ、Ｂは、実施の形態１の各変形例に係る光モジュール２００、３００、４００の断面図である。図４Ａは、変形例１に係る光モジュール２００の断面図であり、図４Ｂは、他の変形例１に係る光モジュール３００の断面図であり、図４Ｃは、変形例２に係る光モジュール３００の断面図である。図５Ａは、他の変形例２に係る光モジュール３００の断面図であり、図５Ｂは、他の変形例３に係る光モジュール４００の断面図である。図４Ａ〜Ｃおよび図５Ａ、Ｂでは、光路を示すために、ハッチングを省略している。
【００５０】
図４Ａに示されるように、変形例１に係る光モジュール２００は、光電変換装置２１０と、光レセプタクル２２０とを有する。光レセプタクル２２０は、光レセプタクル本体２２１およびフィルター２２２を有する。
【００５１】
光電変換装置２１０は、基板１１１と、発光素子１１２と、受光素子１１３とを有する。発光素子１１２は、基板１１１上に配置された第１台座２１４上に、発光素子１１２の光軸ＬＡ２が基板１１１の法線に対して傾斜するように配置されている。受光素子１１３は、基板１１１上に配置された第２台座２１５上に、受光素子１１３の光軸ＬＡ３が基板１１１の法線に対して傾斜するように配置されている。発光素子１１２の光軸ＬＡ２は、基板１１１から離れるにつれて光伝送体１４０に近づくように傾斜している。受光素子１１３の光軸ＬＡ３は、基板１１１から離れるにつれて光伝送体１４０から離れるように傾斜している。
【００５２】
光レセプタクル本体２２１の第２光学面１２４は、第２光学面１２４の中心軸ＣＡ２が基板１１１の法線に対して傾斜するように配置されている。第２光学面１２４の中心軸ＣＡ２は、光レセプタクル本体２２１の底面から天面に向かうにつれて、光伝送体１４０から離れるように傾斜している。図４Ａに示される例では、第２光学面１２４の中心軸ＣＡ２は、受光素子１１３の光軸ＬＡ３と一致している。なお、図４Ｂに示されるように、受光素子１１３は、第２光学面１２４から出射される光を受光できるように配置されていればよく、たとえば受光素子１１３の受光面１１３ａが基板１１１と平行に配置されていてもよい。
【００５３】
第３光学面１２５は、第３光学面１２５の中心軸ＣＡ３が基板１１１の法線に対して傾斜するように配置されている。第３光学面１２５の中心軸ＣＡ３は、光レセプタクル本体２２１の底面から天面に向かうにつれて、光伝送体１４０に近づくように傾斜している。図４Ａに示される例では、第３光学面１２５の中心軸ＣＡ３は、発光素子１１２の光軸ＬＡ２と一致している。
【００５４】
反射面１２６は、第１光学面１２３の中心軸ＣＡ１および第２光学面１２４の中心軸ＣＡ２の交点上に位置するように配置されており、第１光学面１２３で入射した光が第２光学面１２４に向かって内部反射され、第２光学面１２４で入射した光が第１光学面１２３に向かって内部反射されるように傾斜している。変形例１に係る光レセプタクル２２０（図４Ａ）における、基板１１１に対する反射面１２６の傾斜角度は、実施例１に係る光レセプタクル１２０（図１）における、基板１１１に対する反射面１２６の傾斜角度（４５°）よりも大きい。
【００５５】
フィルター２２２は、第１フィルター面１２８と、第２フィルター面１２９とを有する。フィルター２２２は、第１フィルター面１２８が反射面１２６に密着するように配置されている。本変形例では、フィルター２２２の断面形状は、台形である。台形の脚に相当する一対の面は、第１フィルター面１２８を含み、他方の面は、第２フィルター面１２９を含む。第１フィルター面１２８および第２フィルター面１２９は、平行ではない。第２フィルター面１２９は、第１フィルター面１２８を反射面１２６に密着させた状態において、第１光学面１２３の中心軸ＣＡ１および第３光学面１２５の中心軸ＣＡ３の交点上に位置するように配置されており、第１光学面１２３で入射した光が第３光学面１２５に向かって内部反射され、第３光学面１２５で入射した光が第１光学面１２３に向かって内部反射されるように傾斜している。変形例１に係る光レセプタクル２２０（図４Ａ）における、基板１１１に対する第２フィルター面１２９の傾斜角度は、実施例１に係る光レセプタクル１２０（図１）における、基板１１１に対する第２フィルター面１２９の傾斜角度（４５°）よりも小さい。
【００５６】
本変形例では、発光素子１１２の発光面１１２ａから出射され、第３光学面１２５で入射した光の光軸ＬＡ２と、第２フィルター面１２９で反射した光とのなす角度θ１は、９０°超である。また、第１光学面１２３で入射した光の光軸ＬＡ１と、反射面１２６で反射した光とのなす角度θ２は、９０°未満である。
【００５７】
次に、変形例２に係る光モジュール３００について説明する。以下の説明では、変形例１に係る光モジュール２００と異なる部分を主として説明する。
【００５８】
図４Ｃに示されるように、変形例２に係る光モジュール３００は、光電変換装置３１０と、光レセプタクル３２０とを有する。光レセプタクル３２０は、光レセプタクル本体３２１およびフィルター３２２を有する。
【００５９】
光電変換装置３１０は、基板１１１と、発光素子１１２と、受光素子１１３とを有する。発光素子１１２は、基板１１１上に配置された第１台座２１４上に、発光素子１１２の光軸ＬＡ２が基板１１１の法線に対して傾斜するように配置されている。受光素子１１３は、基板１１１上に配置された第２台座２１５上に、受光素子１１３の光軸ＬＡ３が基板１１１の法線に対して傾斜するように配置されている。発光素子１１２の光軸ＬＡ２は、基板１１１から離れるにつれて光伝送体１４０に近づくように傾斜している。受光素子１１３の光軸ＬＡ３も、基板１１１から離れるにつれて光伝送体１４０に近づくように傾斜している。
【００６０】
光レセプタクル本体３２１の第２光学面１２４は、第２光学面１２４の中心軸ＣＡ２が基板１１１の法線に対して傾斜するように配置されている。第２光学面１２４の中心軸ＣＡ２は、光レセプタクル本体３２１の底面から天面に向かうにつれて、光伝送体１４０に近づくように傾斜している。図４Ｂに示される例では、第２光学面１２４の中心軸ＣＡ２は、受光素子１１３の光軸ＬＡ３と一致している。また、第２光学面１２４の中心軸ＣＡ２（受光素子１１３の光軸ＬＡ３）は、第３光学面１２５の中心軸ＣＡ３（発光素子１１２の光軸ＬＡ２）と平行である。なお、図５Ａに示されるように、受光素子１１３は、第２光学面１２４から出射される光を受光できるように配置されていればよく、たとえば受光素子１１３の受光面１１３ａが基板１１１と平行に配置されていてもよい。
【００６１】
反射面１２６は、第１光学面１２３の中心軸ＣＡ１および第２光学面１２４の中心軸ＣＡ２の交点上に位置するように配置されており、第１光学面１２３で入射した光が第２光学面１２４に向かって内部反射され、第２光学面１２４で入射した光が第１光学面１２３に向かって内部反射されるように傾斜している。変形例２に係る光レセプタクル３２０（図４Ｂ）における、基板１１１に対する反射面１２６の傾斜角度は、実施例１に係る光レセプタクル１２０（図１）における、基板１１１に対する反射面１２６の傾斜角度（４５°）よりも小さい。
【００６２】
フィルター３２２は、第１フィルター面１２８と、第２フィルター面１２９とを有する。フィルター３２２は、第１フィルター面１２８が反射面１２６に密着するように配置されている。本変形例では、フィルター３２２の断面形状は、平行四辺形であり、第１フィルター面１２８および第２フィルター面１２９は、平行である。第２フィルター面１２９は、第１フィルター面１２８を反射面１２６に密着させた状態において、第１光学面１２３の中心軸ＣＡ１および第３光学面１２５の中心軸ＣＡ３の交点上に位置するように配置されており、第１光学面１２３で入射した光が第３光学面１２５に向かって内部反射され、第３光学面１２５で入射した光が第１光学面１２３に向かって内部反射されるように傾斜している。他の変形例２に係る光レセプタクル３２０（図４Ｃ）における、基板１１１に対する第２フィルター面１２９の傾斜角度は、実施例１に係る光レセプタクル１２０（図１）における、基板１１１に対する第２フィルター面１２９の傾斜角度（４５°）よりも小さい。
【００６３】
本変形例では、発光素子１１２の発光面１１２ａから出射され、第３光学面１２５で入射した光の光軸ＬＡ２と、第２フィルター面１２９で反射した光とのなす角度θ１は、９０°超である。また、第１光学面１２３で入射した光の光軸ＬＡ１と、反射面１２６で反射した光とのなす角度θ２も、９０°超である。
【００６４】
次に、変形例３に係る光モジュール４００について説明する。以下の説明では、変形例１に係る光モジュール２００と異なる部分を主として説明する。
【００６５】
図５Ｂに示されるように、変形例３に係る光モジュール４００は、光電変換装置４１０と、光レセプタクル４２０とを有する。光レセプタクル４２０は、光レセプタクル本体４２１およびフィルター４２２を有する。
【００６６】
光電変換装置４１０は、基板１１１と、発光素子１１２と、受光素子１１３とを有する。発光素子１１２は、基板１１１上に配置された第１台座２１４上に、発光素子１１２の光軸ＬＡ２が基板１１１の法線に対して傾斜するように配置されている。発光素子１１２の光軸ＬＡ２は、基板１１１から離れるにつれて光伝送体１４０に近づくように傾斜している。受光素子１１３は、基板１１１上に、受光素子１１３の光軸ＬＡ３が基板１１１の法線と平行になるように配置されている。
【００６７】
光レセプタクル本体４２１の第２光学面１２４は、第２光学面１２４の中心軸ＣＡ２が基板１１１の法線に対して平行となるように配置されている。図４Ｃに示される例では、第２光学面１２４の中心軸ＣＡ２は、受光素子１１３の光軸ＬＡ３と一致している。
【００６８】
反射面１２６は、第１光学面１２３の中心軸ＣＡ１および第２光学面１２４の中心軸ＣＡ２の交点上に位置するように配置されており、第１光学面１２３で入射した光が第２光学面１２４に向かって内部反射され、第２光学面１２４で入射した光が第１光学面１２３に向かって内部反射されるように傾斜している。変形例３に係る光レセプタクル４２０（図５Ｂ）における、基板１１１に対する反射面１２６の傾斜角度は、実施例１に係る光レセプタクル１２０（図１）における、基板１１１に対する反射面１２６の傾斜角度（４５°）と同じである。
【００６９】
フィルター４２２は、第１フィルター面１２８と、第２フィルター面１２９とを有する。フィルター４２２は、第１フィルター面１２８が反射面１２６に密着するように配置されている。本変形例では、フィルター４２２の断面形状は、台形である。台形の脚に相当する一対の面は、第１フィルター面１２８を含み、他方の面は、第２フィルター面１２９を含む。第１フィルター面１２８および第２フィルター面１２９は、平行ではない。第２フィルター面１２９は、第１フィルター面１２８を反射面１２６に密着させた状態において、第１光学面１２３の中心軸ＣＡ１および第３光学面１２５の中心軸ＣＡ３の交点上に位置するように配置されており、第１光学面１２３で入射した光が第３光学面１２５に向かって内部反射され、第３光学面１２５で入射した光が第１光学面１２３に向かって内部反射されるように傾斜している。変形例３に係る光レセプタクル４２０（図５Ｂ）における、基板１１１に対する第２フィルター面１２９の傾斜角度は、実施例１に係る光レセプタクル１２０（図１）における、基板１１１に対する第２フィルター面１２９の傾斜角度（４５°）よりも小さい。
【００７０】
本変形例では、発光素子１１２の発光面１１２ａから出射され、第３光学面１２５で入射した光の光軸ＬＡ２と、第２フィルター面１２９で反射した光とのなす角度θ１は、９０°超である。また、第１光学面１２３で入射した光の光軸ＬＡ１と、反射面１２６で反射した光とのなす角度θ２は、９０°である。
【００７１】
［実施の形態２］
実施の形態２では、光伝送体１４０のコアの端面１４０ａの大きさが発光素子１１２の発光面１１２ａの大きさ未満である場合について説明する。実施の形態２に係る光モジュール５００は、光伝送体１４０のコアの端面１４０ａの大きさが発光素子１１２の発光面１１２ａの大きさ未満であることに伴って、発光素子１１２および受光素子１１３の配置と、フィルター１２２の表裏が実施の形態１に係る光モジュール１００と異なる。そこで、実施の形態１に係る光モジュール１００と同様の構成については、同じ符号を付してその説明を省略する。
【００７２】
（光モジュールの構成）
図６は、本発明の実施の形態２に係る光モジュール５００の断面図である。図６では、光路を示すため、光レセプタクル本体１２１と、フィルター１２２のハッチングを省略している。
【００７３】
図６に示されるように、光モジュール５００は、光電変換装置５１０と、光レセプタクル１２０とを有する。前述のとおり、本実施の形態では、光伝送体１４０のコアの端面１４０ａの大きさは、発光素子１１２の発光面１１２ａの大きさ未満である。
【００７４】
光電変換装置５１０は、基板１１１と、発光素子１１２と、受光素子１１３とを有する。本実施の形態では、発光素子１１２は、第２光学面１２４と対向して配置されており、受光素子１１３は、第３光学面１２５と対向して配置されている。
【００７５】
光レセプタクル１２０は、光レセプタクル本体１２１と、フィルター１２２とを有する。光レセプタクル本体１２１は、実施の形態１における光レセプタクル本体１２１と同じ構造であるが、第２光学面１２４および第３光学面１２５の機能が実施の形態１における光レセプタクル本体１２１と異なっている。
【００７６】
本実施の形態では、第２光学面１２４は、発光素子１１２と対向しており、発光素子１１２の発光面１１２ａから出射された第２波長の光を光レセプタクル本体１２１の内部に入射させる。第２光学面１２４の第２中心軸ＣＡ２は、発光素子１１２の発光面から出射される第２波長の光の光軸ＬＡ２と一致していてもよいし、一致していなくてもよい。本実施の形態では、第２光学面１２４の第２中心軸ＣＡ２は、発光素子１１２の発光面１１２ａの中心軸（光軸ＬＡ２）と一致している。
【００７７】
本実施の形態では、第３光学面１２５は、受光素子１１３と対向しており、光レセプタクル１２０の内部を進行してきた第１波長の光を受光素子１１３の受光面１１３ａに向けて出射させる。第３光学面１２５の第３中心軸ＣＡ３は、受光素子１１３の受光面１１３ａの光軸ＬＡ３と一致していてもよいし、一致していなくてもよい。本実施の形態では、第３光学面１２５の第３中心軸ＣＡ３は、受光素子１１３の受光面１１３ａの中心軸（光軸ＬＡ３）と一致している。
【００７８】
フィルター１２２は、第１フィルター面１２８と、第２フィルター面１２９とを有する。本実施の形態では、フィルター１２２は、第２フィルター面１２９が反射面１２６に密着するように光レセプタクル本体１２１の上に配置される。第２フィルター面１２９が反射面１２６に密着している場合、反射面１２６および第２フィルター面１２９は、第２波長の光を反射させ、第１波長の光を透過させる。本実施の形態では、フィルター１２２の断面形状は、平行四辺形であり、第１フィルター面１２８および第２フィルター面１２９は、平行に配置されている。
【００７９】
本実施の形態では、第２フィルター面１２９が反射面１２６に密着しており、反射面１２６および第２フィルター面１２９は、第１光学面１２３の中心軸ＣＡ１および第２光学面１２４の中心軸ＣＡ２の交点上に位置するように配置されている。また、第１フィルター面１２８は、第１光学面１２３の中心軸ＣＡ１および第３光学面１２５の中心軸ＣＡ３の交点上に位置するように配置されている。反射面１２６および第２フィルター面１２９は、第２光学面１２４で入射した第２波長の光を第１光学面１２３に向けて反射させるとともに、第１光学面１２３で入射した第１波長の光を第１フィルター面１２８に向けて透過させる。第１フィルター面１２８は、第２フィルター面１２９を透過した第１波長の光を第３光学面１２５に向けて反射させる。
【００８０】
本実施の形態では、第１光学面１２３で入射した第１波長の光は、反射面１２６および第２フィルター面１２９を透過する。反射面１２６および第２フィルター面１２９を透過した光は、第１フィルター面１２８で第３光学面１２５に向かって反射され、第３光学面１２５から受光素子１１３の受光面１１３ａに向かって出射される。発光素子１１２の発光面１１２ａから出射された光は、第２光学面１２４で光レセプタクル１２０の内部に入射する。光レセプタクル１２０の内部に入射した光は、反射面１２６（第２フィルター面１２９）で第１光学面１２３に向かって反射し、第１光学面１２３から光伝送体１４０のコアの端面１４０ａに向かって出射される。
【００８１】
ここで、光伝送体１４０に対する発光素子１１２の配置と、光伝送体１４０に対する受光素子１１３の配置とについて説明する。図５に示されるように、発光素子１１２の発光面１１２ａおよび光伝送体１４０のコアの端面１４０ａの間の光路を第３光路ＯＰ３とし、光伝送体１４０のコアの端面１４０ａおよび受光素子１１３の受光面１１３ａの間の光路を第４光路ＯＰ４とする。本実施の形態では、前述したように、光伝送体１４０のコアの端面１４０ａの大きさは、発光素子１１２の発光面１１２ａの大きさ未満である。よって、発光素子１１２は、第３光路ＯＰ４が第４光路ＯＰ４と比較して短くなるように、第２光学面１２４と対向して配置されている。光伝送体１４０コアの端面１４０ａから出射された光は、第４光路ＯＰ４を通って、受光素子１１３に到達する。一方、発光素子１１２の発光面１１２ａから出射された光は、第３光路ＯＰ３を通って、光伝送体１４０のコアの端面１４０ａに到達する。第３光路ＯＰ３は、第４光路ＯＰ４より短いため、発光素子１１２の発光面１１２ａが光伝送体１４０の端面１４０ａよりも大きい場合でも、光伝送体１４０のコアの端面１４０ａに対する光結合効率を維持できる。
【００８２】
（効果）
以上のように、本実施の形態に係る光モジュール５００は、実施の形態１に係る光モジュール１００と同様の効果を有する。
【産業上の利用可能性】
【００８３】
本発明に係る光レセプタクルおよび光モジュールは、例えば光伝送体を用いた光通信に有用である。
【符号の説明】
【００８４】
１００、２００、３００、４００、５００  光モジュール
１１０、２１０、３１０、４１０、５１０  光電変換装置
１１１  基板
１１２  発光素子
１１２ａ  発光面
１１３  受光素子
１１３ａ  受光面
１２０、２２０、３２０、４２０  光レセプタクル
１２１、２２１、３２１、４２１  光レセプタクル本体
１２２、２２２、３２２、４２２  フィルター
１２３  第１光学面
１２４  第２光学面
１２５  第３光学面
１２６  反射面
１２７  位置決め部
１２８  第１フィルター面
１２９  第２フィルター面
１４０  光伝送体
１４０ａ  コアの端面
１４２  フェルール
１４３  位置決め穴
２１４  第１台座
２１５  第２台座
ＣＡ１  第１光学面の中心軸
ＣＡ２  第２光学面の中心軸
ＣＡ３  第３光学面の中心軸
ＬＡ１  光伝送体の端面の光軸（光伝送体から出射された光の光軸）
ＬＡ２  発光素子の発光面の光軸（発光素子から出射された光の光軸）
ＬＡ３  受光素子の受光面の光軸
【図１】
2020160250.tif 000003
【図２】
2020160250.tif 000004
【図３】
2020160250.tif 000005
【図４】
2020160250.tif 000006
【図５】
2020160250.tif 000007
【図６】
2020160250.tif 000008